(57)【要約】      （修正有）【課題】どの傘にでも結合でき、夏の高温に依る日傘をさす時に、ミストスプレーに拠って放熱効果を達成する傘に結合のミストによる放熱構造を提供する。【解決手段】傘に結合のミストによる放熱構造は、主に本体１を設け、該本体１には仕切った納置室１１および貯水槽１２を設ける。そのうち、該納置室１１は制御回路２および超音波発振部材３を設け、該超音波発振部材３の揚水棒３１を該貯水槽１２に延び入れ、且つ該超音波発振部材３を納置室１１に形成した出水孔１１１に対応させる。そして該本体１を傘の傘骨または傘布の下方の任意の位置に挟み込み、制御回路２を稼働させると、揚水棒３１で貯水槽１２の水を汲み上げ、該超音波発振部材３の発振でミストを発生させ、そのミストが出水孔１１１から吹き出して傘の下方で漂い、夏の高温時に放熱効果を達成する。【選択図】図２
0003232450.tif 000002
【実用新案登録請求の範囲】
【請求項１】
本体を有し、前記本体には仕切った納置室および貯水槽を設ける傘に結合のミストによる放熱構造において、そのうち、
前記納置室は出水孔を設け、前記納置室内には制御回路および超音波発振部材を設け、前記超音波発振部材には前記貯水槽へ延びて挿入する揚水棒を設け、且つ前記超音波発振部材を前記納置室に穿設した出水孔に対応させ、
前記本体を傘の傘骨または傘布の下方での任意の位置に挟み込み、前記制御回路を稼働させると、前記揚水棒によって前記貯水槽の水を汲み上げ、前記超音波発振部材の発振でミストを発生させ、ミストが前記出水孔から吹き出して前記傘の下方へ漂い、夏の高温時に放熱効果を達成することを特徴とする傘に結合のミストによる放熱構造。
【請求項２】
前記貯水槽は、水を注ぎ入れる入水孔を設け、前記入水孔に軟質の槽栓を嵌入することを特徴とする請求項１記載の傘に結合のミストによる放熱構造。
【請求項３】
前記納置室の前記出水孔下方にはブッシングを設け、前記超音波発振部材を前記ブッシングに嵌合設置させて前記出水孔に対応させることを特徴とする請求項１記載の傘に結合のミストによる放熱構造。
【考案の詳細な説明】
【技術分野】
【０００１】
本考案は、傘に結合のミストによる放熱構造に関するもので、特に傘に結合し、夏の高温時にミストスプレーに拠って放熱効果を達成する傘に結合のミストによる放熱構造に係る。
【背景技術】
【０００２】
地球気候変動により、気温が異常に上昇している。室内で空調を使用すれば暑さの問題は解決するものの、外出すれば、灼熱の太陽に晒されるため、温度を下げ、涼しさを保つための如何なる器具を使用しても、蒸し暑さを取り除くことは困難で熱中症の危険もある。
我々は通常、日傘をさして直射日光を避け、更に市場にある保冷袋やクールタイまたはハンディファン等を携帯し涼しさを得る。しかしながら、保冷剤をポケットに入れたり、手に持って皮膚に接触させても、僅かな時間の清涼感しか得られず、使用時間が足りない。またハンディファンは携帯が面倒であり、なくしやすいという欠点もあるため、使用効果は良くない。
【先行技術文献】
【特許文献】
【０００３】
【特許文献１】特開２０１２−２００８９８号公報
【考案の概要】
【考案が解決しようとする課題】
【０００４】
出願人は、この点に関して研究、実験を重ねた結果、遂に、夏の高温時に日傘をさす時にミストを発生させて放熱効果を達成する傘に結合のミストによる放熱構造を考案した。
【０００５】
どの傘にでも結合でき、夏の高温に依る日傘をさす時に、ミストスプレーに拠って放熱効果を達成する傘に結合のミストによる放熱構造を提供することを本考案の主な課題とする。
【課題を解決するための手段】
【０００６】
前述の傘に結合のミストによる放熱構造は、本体を設け、該本体には仕切った納置室および貯水槽を設ける。そのうち、該納置室は制御回路および超音波発振部材を設け、該超音波発振部材の揚水棒を該貯水槽に延び入れ、且つ該超音波発振部材を納置室に形成した出水孔に対応させる。
そして該本体を傘の傘骨または傘布下方の任意の位置に挟み込み、制御回路を稼働させると、揚水棒で貯水槽の水を汲み上げ、該超音波発振部材の発振でミストを発生させ、ミストが出水孔から吹き出して傘の下方で漂い、夏の高温時に放熱効果を達成する。
【０００７】
前述の傘に結合のミストによる放熱構造の本体は、動物、アニメキャラクターまたは人形等異なる造形でもよい。
【０００８】
前述の傘に結合のミストによる放熱構造において、そのうち該納置室の該出水孔下方にはブッシングを設け、該超音波発振部材を該ブッシングに嵌合設置して該出水孔に対応させる。
【０００９】
前述の傘に結合のミストによる放熱構造において、そのうちの本体の貯水槽は水を注ぎ入れるための入水孔を設ける。
【考案の効果】
【００１０】
本考案の傘に結合のミストによる放熱構造は、どの傘にでも結合でき、夏の高温に依る日傘をさす時に、ミストスプレーに拠って放熱効果を達成するという利点がある。
【図面の簡単な説明】
【００１１】
【図１】本考案の立体図である。
【図２】本考案の断面図である。
【図３】本考案を傘に使用した状態の状態図である。
【図４】本考案の動作状態図である。
【図５】本考案の別の使用状態図である。
【考案を実施するための形態】
【実施例】
【００１２】
図１および図２に示すのは、本考案の立体図および断面図である。図に示すとおり、本考案は本体１を設け、該本体１には仕切った納置室１１および貯水槽１２を設ける。そのうち、該納置室１１の適する位置には出水孔１１１を設け、該出水孔１１１下方にはブッシング１１２を設け、該納置室１１には制御回路２を設ける。該制御回路２は超音波発振部材３およびスイッチ４を接続し、該超音波発振部材３をブッシング１１２に嵌合して該出水孔１１１に対応させ、且つ該スイッチ４を納置室１１の適する位置に露出させる。
【００１３】
該超音波発振部材３には該貯水槽１２に挿入させた揚水棒３１を設けることで、該超音波発振部材３が稼働した時、貯水槽１２の水を該超音波発振部材３まで汲み上げる。
【００１４】
前述の本体１は、動物、アニメキャラクターまたは人形等異なる造形を設けてもよく、本実施例ではクジラの造形としているが、他の異なる造形でもよい。
【００１５】
該貯水槽１２は適量の水を貯水し、それは適する位置に水を注ぎ入れるための入水孔１２１を設け、該入水孔１２１には軟質の槽栓１２２を嵌入する。
【００１６】
前述部材の組み合わせにより、傘に結合のミストによる放熱構造が構成される。該本体１を傘の傘骨または傘布下方の任意の位置に挟み、スイッチ４をつけて制御回路２を稼働させると、揚水棒３１が貯水槽１２の水を汲み上げ、該超音波発振部材３の発振でミストを発生させ、ミストが出水孔１１１から吹き出して、傘下方で漂い、夏の高温時に放熱効果を達成する。
【００１７】
図３および図４は、本考案の使用状態及び作動状態の図である。図１および図２とともに図に示すとおり、本考案を使用する時、先ず、入水孔１２１から適量の水を貯水槽１２に注ぎ入れ、次に本体１を傘５の傘骨５１または傘布５２下方の任意の位置（本実施例では撓み材質製の尾部を傘骨５１に掛合または巻き付け方法で挟み込むが実施例の方法に制限することはなく別の方法でも良い）に挟み込む。スイッチ４をつけて制御回路２を稼働させると、揚水棒３１が貯水槽１２の水を汲み上げ、該超音波発振部材３の発振でミストを発生させ、ミストが出水孔１１１から吹き出し、傘５下方で漂い、夏の高温時の日傘において放熱効果を達成する。
【００１８】
図５は本考案の別の使用状態図である。図２に示すとおり、本考案は前述のように傘に挟み、夏の高温時に日傘をさして放熱効果を達成する他に、卓上に置き、スイッチ４をつけると、揚水棒３１で貯水槽１２の水を汲み上げ、該超音波発振部材３の発振でミストを発生させ、ミストが出水孔１１１から吹き出し、ミストが四方に漂い、空気乾燥時に加湿する。
【００１９】
前述実施例は、本考案の良好な実施方式を説明するためだけのものであり、本考案の請求範囲を制限するものではない。拠って、僅かな修飾、変更は、すべて本考案の請求範囲に含まれ、本考案の精神的範囲から逸脱しない。
【００２０】
上述のとおり、本考案は異なる造形の本体を有し、本体内には超音波発振部材を設置した納置室および水を貯める貯水槽を設け、傘に結合のミストによる放熱構造を構成する。様々な傘に結合することで、夏の高温で日傘をさした時に、ミストによる放熱効果をもたらす。実用性、新規性、創造性を有することから、実用新案登録を申請する。
【符号の説明】
【００２１】
1        本体
１１        納置室
１１１        出水孔
１１２        ブッシング
１２        貯水槽
１２１        入水孔
１２２        槽栓
２        制御回路
３        超音波発振部材
４        スイッチ
５        傘
５１        傘骨
５２        傘布
【図１】
0003232450.tif 000003
【図２】
0003232450.tif 000004
【図３】
0003232450.tif 000005
【図４】
0003232450.tif 000006
【図５】
0003232450.tif 000007